(57)【特許請求の範囲】
【請求項１】
光ディスクの内周に記録された未記録領域の先頭アドレスを示す位置情報を基準にして、前記光ディスクの先頭領域側より順次ファイルを記録すると共に、前記ファイルの記録に対応して前記位置情報を更新する光ディスク装置において、
前記光ディスクに記録されたファイルの削除に対応して、前記位置情報を更新する
ことを特徴とする光ディスク装置。
【請求項２】
前記光ディスクに記録された位置情報をメモリに保持し、
前記光ディスクへのファイルの記録、削除により、前記メモリに保持した位置情報を更新し、
前記光ディスクの排出時、又は電源遮断時、前記メモリに保持した位置情報により前記光ディスクの位置情報を更新する
ことを特徴とする請求項１に記載の光ディスク装置。
【請求項３】
前記位置情報が、ＤＶＤビデオフォーマットによるＮＷＡである
ことを特徴とする請求項１に記載の光ディスク装置。
【請求項４】
前記ファイルと、前記ファイルの管理用情報とを組にして、
前記ファイルが動画のファイルの場合、前記ファイルの前記管理用情報、前記ファイル、前記管理用情報のバックアップ用情報が順次連続するように、前記ファイル及び前記管理用情報を記録し、
前記ファイルが動画以外のファイルの場合、前記ファイル、対応する前記管理用情報の順となるように、かつ前記管理用情報の記録位置を前記位置情報により特定可能に、前記ファイル及び前記管理用情報を記録する
ことを特徴とする請求項１に記載の光ディスク装置。
【請求項５】
前記管理用情報の記録位置を前記位置情報により特定可能な記録が、
前記位置情報により特定される記録位置が前記管理用情報の記録終了位置に続く位置である
ことを特徴とする請求項４に記載の光ディスク装置。
【請求項６】
光ディスクの内周に記録された未記録領域の先頭アドレスを示す位置情報を基準にして、前記光ディスクの先頭領域側より順次ファイルを記録すると共に、前記ファイルの記録に対応して前記位置情報を更新する光ディスクの記録方法において、
前記光ディスクに記録されたファイルの削除に対応して、前記位置情報を更新する
ことを特徴とする光ディスクの記録方法。
【請求項７】
前記光ディスクに記録された位置情報をメモリに保持し、
前記光ディスクへのファイルの記録、削除により、前記メモリに保持した位置情報を更新し、
前記光ディスクの排出時、又は電源遮断時、前記メモリに保持した位置情報により前記光ディスクの位置情報を更新する
ことを特徴とする請求項６に記載の光ディスクの記録方法。
【請求項８】
前記位置情報が、ＤＶＤビデオフォーマットによるＮＷＡである
ことを特徴とする請求項６に記載の光ディスクの記録方法。
【請求項９】
前記ファイルと、前記ファイルの管理用情報とを組にして、
前記ファイルが動画のファイルの場合、前記ファイルの前記管理用情報、前記ファイル、前記管理用情報のバックアップ用情報が順次連続するように、前記ファイル及び前記管理用情報を記録し、
前記ファイルが動画以外のファイルの場合、前記ファイル、対応する前記管理用情報の順となるように、かつ前記管理用情報の記録位置を前記位置情報により特定可能に、前記ファイル及び前記管理用情報を記録する
ことを特徴とする請求項６に記載の光ディスクの記録方法。
【請求項１０】
前記管理用情報の記録位置を前記位置情報により特定可能な記録が、
前記位置情報により特定される記録位置が前記管理用情報の記録終了位置に続く位置である
ことを特徴とする請求項９に記載の光ディスクの記録方法。
【請求項１１】
光ディスクの内周に記録された未記録領域の先頭アドレスを示す位置情報を基準にして、前記光ディスクの先頭領域側より順次ファイルを記録すると共に、前記ファイルの記録に対応して前記位置情報を更新する光ディスクの記録方法のプログラムにおいて、
前記光ディスクに記録されたファイルの削除に対応して、前記位置情報を更新する
ことを特徴とする光ディスクの記録方法のプログラム。
【請求項１２】
前記光ディスクに記録された位置情報をメモリに保持し、
前記光ディスクへのファイルの記録、削除により、前記メモリに保持した位置情報を更新し、
前記光ディスクの排出時、又は電源遮断時、前記メモリに保持した位置情報により前記光ディスクの位置情報を更新する
ことを特徴とする請求項１１に記載の光ディスクの記録方法のプログラム。
【請求項１３】
前記位置情報が、ＤＶＤビデオフォーマットによるＮＷＡである
ことを特徴とする請求項１１に記載の光ディスクの記録方法のプログラム。
【請求項１４】
前記ファイルと、前記ファイルの管理用情報とを組にして、
前記ファイルが動画のファイルの場合、前記ファイルの前記管理用情報、前記ファイル、前記管理用情報のバックアップ用情報が順次連続するように、前記ファイル及び前記管理用情報を記録し、
前記ファイルが動画以外のファイルの場合、前記ファイル、対応する前記管理用情報の順となるように、かつ前記管理用情報の記録位置を前記位置情報により特定可能に、前記ファイル及び前記管理用情報を記録する
ことを特徴とする請求項１１に記載の光ディスクの記録方法のプログラム。
【請求項１５】
前記管理用情報の記録位置を前記位置情報により特定可能な記録が、
前記位置情報により特定される記録位置が前記管理用情報の記録終了位置に続く位置である
ことを特徴とする請求項１４に記載の光ディスクの記録方法のプログラム。
【請求項１６】
光ディスクの内周に記録された未記録領域の先頭アドレスを示す位置情報を基準にして、前記光ディスクの先頭領域側より順次ファイルを記録すると共に、前記ファイルの記録に対応して前記位置情報を更新する光ディスクの記録方法のプログラムを記録した記録媒体において、
前記光ディスクの記録方法のプログラムは、
前記光ディスクに記録されたファイルの削除に対応して、前記位置情報を更新する
ことを特徴とする光ディスクの記録方法のプログラムを記録した記録媒体。
【発明の詳細な説明】
【０００１】
【発明の属する技術分野】
本発明は、光ディスク装置、光ディスクの記録方法、光ディスクの記録方法のプログラム及び光ディスクの記録方法を記録した記録媒体に関し、例えばＤＶＤ（Digital Video Disk）装置に適用することができる。本発明は、光ディスクに記録されたファイルの削除に対応して、未記録領域の先頭アドレスを示す位置情報を更新することにより、例えば動画以外のファイルを記録して、このファイルを更新する場合等に、光ディスクの寿命を延ばすことができるようにする。
【０００２】
【従来の技術】
従来、大容量の光ディスクであるＤＶＤにおいて、書き込み可能な光ディスクは、１回のみ書き込み可能なＤＶＤ−Ｒ（ＤＶＤ−Recordable）、追記可能なＤＶＤ−ＲＷ（ＤＶＤ−Rewritanle）、ＤＶＤ−ＲＡＭ（ＤＶＤ−Random Access Memory）が提供されるようになされている。これらの光ディスクのうち、ＤＶＤ−Ｒ、ＤＶＤ−ＲＷは、ＤＶＤビデオフォーマットに準拠したフォーマットでビデオデータを記録することにより、再生専用のＤＶＤプレイヤー、コンピュータでも再生できるようになされている。
【０００３】
図７は、このＤＶＤビデオフォーマットによる光ディスクの論理フォーマットを示す図表である。このフォーマットによる光ディスクは、情報記録面が、先頭側である最内側よりリードイン（Lead in ）、データゾーン（Data Zone ）、リードアウト（Lead out）に区切られ（図７（Ａ））、データゾーンに所望のビデオデータ等が記録される。
【０００４】
ここでデータゾーンは、リードイン側より、ＵＤＦ（Universal Disk Format ）領域（ファイルシステムエリア）Ａ１、ＶＭＧ（Video Manager ）領域（ＤＶＤ管理用情報エリア）Ａ２、リアルタイムデータ記録エリアＡ３に区分される。ＵＤＦ領域及びＶＭＧ領域は、この光ディスクに記録されたビデオデータによるファイルを管理する管理用情報記録領域である。これらのＵＤＦ領域及びＶＭＧ領域のうち、ＶＭＧ領域は、ＤＶＤプレイヤーに対応する領域であり、リアルタイムデータ記録エリアＡ３に記録されたビデオデータ全体を管理する管理用情報であるＴＯＣの情報が記録される。これに対してＵＤＦ領域Ａ１は、コンピュータによるファイル管理システムに対応する領域であり、コンピュータにおけるファイルシステムとの互換を図るフォーマットによりリアルタイムデータ記録エリアＡ３に記録したビデオデータ全体を管理する管理用情報が記録される。
【０００５】
リアルタイムデータ記録エリアＡ３は、実データを記録するプログラムエリアであり、ＶＴＳ（Video Title Set ）（以下、適宜、タイトルと呼ぶ）を単位にして、ビデオデータが記録される（図７（Ｂ））。なおここでＶＴＳは、最大で９９個まで設けることができるようになされている。ここでＶＴＳは、先頭側より、ＶＴＳＩ（Video Title Set Information ）、ＶＴＳＭ  ＶＯＢＳ（Video Object Set for the VTSM）、ＶＴＳＴＴ  ＶＯＢＳ(Video Object SetFor Titles in a VTS) 、ＶＴＳＩ  ＢＵＰ（Backup of VTSI）により構成される（図７（Ｃ））。ＶＴＳＴＴ  ＶＯＢＳには、実データであるＭＰＥＧ（Moving Picture Experts Group）２のフォーマットによるビデオデータが記録され、ＶＴＳＩには、この実データによるビデオデータを管理する管理用情報である記録位置情報等が、ＶＴＳＭ  ＶＯＢＳには、ビデオデータのタイトルメニューが記録される。なおＶＴＳＭ  ＶＯＢＳは、オプションである。ＶＴＳＩ  ＢＵＰは、ＶＴＳＩのバックアップである。
【０００６】
これらによりこの種の光ディスクにおいては、コンピュータによりアクセスする場合は、ＵＤＦにより所望するファイルを検索して再生することができるようになされ、ＤＶＤプレイヤーによりアクセスする場合には、ＶＭＧにより所望するファイルを検索して再生することができるようになされている。これによりＵＤＦは、コンピュータのファイル管理システムに対応して光ディスクに記録されたビデオデータの管理用情報を構成するのに対し、ＶＭＧは、ＤＶＤプレイヤーに対応して光ディスクに記録されたビデオデータの管理用情報を構成するようになされている。
【０００７】
このような光ディスクにビデオデータを書き込む方式としては、Incremental Recording 方式（以下、ＩＮＣ方式と呼ぶ）、Restricted Over Write 方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録領域にデータを記録する場合には、シーケンシャルにビデオデータを記録する。これらＩＮＣ方式及びＲＯＷ方式においては、リードインの内周側に設けられたＲＭＡ（Recording Management Area ）により、後述するパディング等による領域が管理されるようになされている。
【０００８】
図８は、ＲＯＷ方式による記録手順を示す図表である。ＲＯＷ方式においては、リードイン、ＵＤＦ、ＶＭＧ、先頭タイトルのＶＴＳＩ、ＶＴＳＭ  ＶＯＢＳの記録領域をパディングにより事前に確保する（図８（Ａ））。ここでパディングは、ＮＵＬＬ等のダミーデータを記録して領域を確保する処理である。
【０００９】
このようにしてこれらの領域を確保すると、ＲＯＷ方式においては、順次ビデオデータを記録することにより、実データによるＶＴＳＴＴ  ＶＯＢＳを形成し（図８（Ｂ））、１つのタイトルについて実データの記録が完了すると、続いてＶＴＳＩ  ＢＵＰを記録し、さらに続くタイトルのＶＴＳＩ、ＶＴＳＭ  ＶＯＢＳの記録領域の確保のために、パディングの処理を実行する（図８（Ｂ））。また続いて先頭側に戻ってこの実データの記録に対応するＶＴＳＩ、ＶＴＳＭ  ＶＯＢＳを形成する（図８（Ｃ））。これによりＲＯＷ方式においては、１つのＶＴＳを光ディスクに記録する。
【００１０】
また続けて次のタイトルを記録する場合、ＲＯＷ方式においては、直前のＶＴＳにより形成したパディングの領域に続いて、実データの記録によりＶＴＳＴＴＶＯＢＳ、ＶＴＳＩ  ＢＵＰを形成し、続くタイトルのＶＴＳＩ、ＶＴＳＭＶＯＢＳの領域確保のために、パディングの処理を実行する（図８（Ｄ））。また続いてＶＴＳＩ、ＶＴＳＭ  ＶＯＢＳを形成し（図８（Ｅ））、これにより続くＶＴＳを光ディスクに記録する（図８（Ｆ））。ＲＯＷ方式においては、引き続きタイトルを記録する場合には、同様にパディング等の処理を実行して順次ＶＴＳを記録する。
【００１１】
これに対してこのようにＶＴＳを順次記録して、リアルタイムデータ記録エリアが形成されてなる光ディスクについて、ＲＯＷ方式においては、ファイナライズの処理によりＵＤＦ領域、ＶＭＧ領域を形成し、さらにリードイン、リードアウトを形成し（図８（Ｇ））、これにより再生専用の光ディスクとの互換性が図られる。なおこのＵＤＦ領域、ＶＭＧ領域の形成においては、各タイトルのＶＴＳＩ、ＶＴＳＭ  ＶＯＢＳのデータより、ＵＤＦ、ＶＭＧのデータを生成し、このデータをパディングにより確保した内周側先頭領域に記録することにより実行される。
【００１２】
【発明が解決しようとする課題】
ところでこのような光ディスクにおいては、磁気テープに代えて、携帯型のビデオレコーダ等に適用することが考えられる。この場合、従来の携帯型のビデオレコーダにおいては、動画だけでなく、静止画についても記録することができるものがあることにより、この種の光ディスクにおいても、動画以外の静止画等について、記録できることが望まれる。
【００１３】
この要望を実現する方法として、動画についてはＤＶＤビデオフォーマットにより記録してＵＤＦ、ＶＭＧに管理用情報を記録し、動画以外のファイルについては、ＵＤＦのみに管理用情報を記録して、動画のファイルと共に光ディスクに記録することが考えられる。すなわちこのようにすれば、コンピュータ等によるファイル管理システムにおいては、ＵＤＦを基準にしていることにより、プログラムエリアであるリアルタイムデータ記録エリアに記録した全てのファイルを再生することができる。またＤＶＤプレイヤーにおいては、ＶＭＧを基準にしてリアルタイムデータ記録エリアをアクセスすることにより、ＤＶＤプレイヤーによる再生には何ら影響を与えないようにして、この種の動画以外のファイルを記録することができる。
【００１４】
またＲＯＷ方式等による記録においては、このようなＵＤＦ、ＶＭＧの作成に必要な管理用情報を、動画の場合とは異なるフォーマットにより光ディスクに一時的に記録することにより、このようにＲＯＷ方式等により記録した光ディスクにおいても、ファイナライズ処理して、ＤＶＤプレイヤーで再生することができる。
【００１５】
またこのような動画の場合とは異なるフォーマットにより、動画以外の管理用情報を光ディスクに一時的に記録することにより、ファイナライズ処理していない場合でも、従来のＤＶＤレコーダにおいて、動画の再生には何ら影響を与えないようにして、この種の動画以外のファイルを記録することができる。
【００１６】
この種の光ディスクにおいて、リアルタイムデータ記録エリアにおけるデータの記録においては、ＲＭＡを用いて管理されることにより、このように動画以外のファイルについての管理用情報の一時的な記録についても、ＲＭＡを用いて管理することが考えられる。すなわちＲＭＡにおいては、ＮＷＡ（Next Writable Address ）が設けられ、このＮＷＡが未記録領域の先頭アドレスを示すことにより、このＮＷＡを基準にして管理用情報を記録すれば、処理の途中で光ディスクが他の光ディスク装置に移し代えられた場合等でも、このＮＷＡによりこの種のファイルの記録位置を確認することができる。
【００１７】
しかしながら動画以外のファイルの処理においては、コンピュータにおいて画像処理する場合のように、何回も更新の処理が繰り返される恐れがあり、光ディスクにおいては、このように更新等の処理を実行すると、対応する管理用情報においても更新することが必要になる。これに対してＮＷＡにおいては、本来、光ディスクにおける動画ファイルの追記を前提としていることにより、増大する方向にしかアドレスを更新できないように規定されている。
【００１８】
これによりこのように動画以外のファイルを記録して、このファイルを更新等する場合には、結局、同一箇所に管理用情報を繰り返し記録することになり、このような管理用情報の書き換えだけで光ディスクが寿命を迎える問題がある。
【００１９】
本発明は以上の点を考慮してなされたもので、例えば動画以外のファイルを記録して、このファイルを更新等する場合に、光ディスクの寿命を延ばすことができる光ディスク装置、光ディスクの記録方法、光ディスクの記録方法のプログラム及び光ディスクの記録方法を記録した記録媒体を提案しようとするものである。
【００２０】
【課題を解決するための手段】
かかる課題を解決するため請求項１の発明においては、光ディスクの内周に記録された未記録領域の先頭アドレスを示す位置情報を基準にして、光ディスクの先頭領域側より順次ファイルを記録すると共に、ファイルの記録に対応して位置情報を更新する光ディスク装置に適用して、光ディスクに記録されたファイルの削除に対応して、位置情報を更新する。
【００２１】
また請求項６の発明においては、光ディスクの内周に記録された未記録領域の先頭アドレスを示す位置情報を基準にして、光ディスクの先頭領域側より順次ファイルを記録すると共に、ファイルの記録に対応して位置情報を更新する光ディスクの記録方法に適用して、光ディスクに記録されたファイルの削除に対応して、位置情報を更新する。
【００２２】
また請求項１１の発明においては、光ディスクの内周に記録された未記録領域の先頭アドレスを示す位置情報を基準にして、光ディスクの先頭領域側より順次ファイルを記録すると共に、ファイルの記録に対応して位置情報を更新する光ディスクの記録方法のプログラムに適用して、光ディスクに記録されたファイルの削除に対応して、位置情報を更新する。
【００２３】
また請求項１６の発明においては、光ディスクの内周に記録された未記録領域の先頭アドレスを示す位置情報を基準にして、光ディスクの先頭領域側より順次ファイルを記録すると共に、ファイルの記録に対応して位置情報を更新する光ディスクの記録方法のプログラムを記録した記録媒体に適用して、光ディスクの記録方法のプログラムは、光ディスクに記録されたファイルの削除に対応して、位置情報を更新する。
【００２４】
請求項１の構成によれば、光ディスクの内周に記録された未記録領域の先頭アドレスを示す位置情報を基準にして、光ディスクの先頭領域側より順次ファイルを記録すると共に、ファイルの記録に対応して位置情報を更新する光ディスク装置に適用して、光ディスクに記録されたファイルの削除に対応して、位置情報を更新することにより、光ディスクに記録されたファイルの更新を繰り返して、この位置情報を基準にして管理用情報等を記録する場合に、同一箇所への管理用情報の繰り返しの記録を防止することができ、これにより例えば動画以外のファイルを記録して、このファイルを更新等する場合に、光ディスクの寿命を延ばすことができる。
【００２５】
これにより請求項６、請求項１１、請求項１６の構成によれば、例えば動画以外のファイルを記録して、このファイルを更新等する場合に、光ディスクの寿命を延ばすことができる光ディスクの記録方法、光ディスクの記録方法のプログラム及び光ディスクの記録方法を記録した記録媒体を提供することができる。
【００２６】
【発明の実施の形態】
以下、適宜図面を参照しながら本発明の実施の形態を詳述する。
【００２７】
（１）実施の形態の構成
図２は、本発明の実施の形態に係る記録再生装置を示すブロック図である。この記録再生装置は、携帯型のカメラ一体型の記録装置であり、従来のカメラ一体型ビデオテープレコーダにおける磁気テープによる記録再生系に代えて、光ディスク装置による記録再生系が設けられるようになされている。
【００２８】
すなわちこの記録再生装置１１において、カメラ部１２は、レンズを介して所望の被写体を撮像し、撮像結果によるビデオデータを出力する。カメラ部１２は、この処理において、システムブロック１６の制御により動作を切り換え、動画によるビデオデータと、静止画によるビデオデータとを選択的に出力する。
【００２９】
ビデオエンコーダ１３は、このカメラ部１２より得られるビデオデータをデータ圧縮して出力する。この処理において、ビデオエンコーダ１３は、システムブロック１６の制御によりカメラ部１２と連動して動作を切り換え、カメラ部１２から動画によるビデオデータが出力される場合には、ＭＰＥＧ２のフォーマットによりデータ圧縮して出力する。これに対してカメラ部１２から静止画によるビデオデータが出力される場合には、ＪＰＥＧのフォーマットによりデータ圧縮して出力する。
【００３０】
マイク部１４は、マイクにより音声信号を取得して増幅し、ディジタル信号により出力する。オーディオエンコーダ１５は、このディジタル信号による音声信号をデータ圧縮して出力する。
【００３１】
ビデオデコーダ２１は、再生時、システムブロック１６を介して、光ディスク１８から再生されたビデオデータを入力し、このビデオデータを記録時のフォーマットに対応してデータ伸長し、表示部１９、ライン出力に出力する。オーディオデコーダ２２は、再生時、システムブロック１６を介して、光ディスク１８から再生されたオーディオデータを入力し、このオーディオデータをデータ伸長して音声処理部２０、ライン出力に出力する。
【００３２】
表示部１９は、撮像結果をモニタする場合、システムブロック１６を介して、カメラ部１２から出力されるビデオデータを入力し、このビデオデータにより液晶表示パネルを駆動する。これにより撮像結果のモニタ画像を表示する。これに対して再生時、ビデオデコーダ２１から出力されるビデオデータにより液晶表示パネルを駆動し、これにより再生結果のモニタ画像を表示する。音声処理部２０は、撮像結果をモニタする場合、システムブロック１６を介して、マイク部１４から出力されるオーディオデータを入力し、このオーディオによりスピーカ等を駆動する。これによりモニタ用の音声信号を出力する。これに対して再生時、オーディオデコーダ２２から出力されるオーディオデータによりスピーカ等を駆動し、これにより再生結果のモニタ用音声信号を出力する。
【００３３】
ドライブブロック１７は、光ディスク１８と共に光ディスク装置を構成し、ＡＴＡＰＩ（ＡＴ Attachment Packet Interface）によりシステムブロック１６に接続される。ドライブブロック１７は、事前にインストールされてなるファームウエアの実行により、このＡＴＡＰＩによりシステムブロック１６から出力されるコマンドにより動作を切り換え、システムブロック１６の出力データを光ディスク１８に記録する。また光ディスク１８に記録したデータを再生し、その結果得られる再生データをシステムブロック１６に出力する。
【００３４】
システムブロック１６は、この記録再生装置１１全体の動作を制御するコントローラであり、事前にインストールされた所定の処理プログラムの実行により、ユーザーの操作に応動してドライブブロック１７等に各種コマンドを出力し、これにより撮像結果を光ディスク１８に記録し、また光ディスク１８に記録した撮像結果、カメラ部１２より得られる撮像結果をモニタできるようにする。
【００３５】
すなわちシステムブロック１６は、撮像結果の記録時においては、ビデオエンコーダ１３及びオーディオエンコーダ１５より出力されるビデオデータ及びオーディオデータを時分割多重化してドライブブロック１７に出力し、光ディスク１８に記録する。またモニタ用に、カメラ部１２及びマイク部１４より出力されるビデオデータ及びオーディオデータを表示部１９及び音声処理部２０、ライン出力に直接出力する。
【００３６】
また光ディスク１８に記録した撮像結果を再生する場合、記録時とは逆に、ドライブブロック１７より得られる再生データをオーディオデータ及びビデオデータに分離してビデオデコーダ２１及びオーディオデコーダ２２に出力する。
【００３７】
このような一連の処理において、システムブロック１６は、ユーザーにより静止画の記録が指示されると、拡張ファイルモードへの動作モードの切り換えをドライブブロック１７に指示し、またカメラ部１２及びビデオエンコーダ１３に静止画による処理を指示し、これにより動画によるファイルに代えて、静止画によるファイルを光ディスク１８に記録する。
【００３８】
ここで拡張ファイルモードは、ドライブブロック１７において、動画以外の拡張ファイルを記録する動作モードであり、この実施の形態では、この拡張ファイルとして静止画ファイルが適用されるようになされている。なお以下において、この拡張ファイルモードとの対比により、通常の動画ファイルを記録するモードを動画ファイルモードと呼ぶ。
【００３９】
図３は、何らファイルを記録していないいわゆるバージンディスクの場合を例にとって、これら動画ファイルモード、拡張ファイルモードの説明に供する図表である。ドライブブロック１７は、光ディスク１８が装填されたままの状態で電源が立ち上げられると、又は電源が立ち上げられた状態で光ディスク１８が装填されると、光ディスク１８の内周側に記録された各種の管理用情報を取得してメモリに保持し、またこの管理用情報の一部をホスト装置に出力する。これによりこの種の光ディスク装置においては、ホスト装置により光ディスク１８に記録された各種ファイルの再生を指示できるようになされている。
【００４０】
光ディスク１８がバージンディスクの場合、ＵＤＦ、ＶＭＧ等のデータが未だ記録されていないことにより、ドライブブロック１７は、この場合、管理用情報としてＲＭＡの情報を取得してメモリに保持する。またホスト装置であるシステムブロック１６に対しては、管理用情報として光ディスク１８に何らファイルが記録されていないことを通知する。
【００４１】
システムブロック１６は、ユーザーにより撮像結果の記録が選択されると、ドライブブロック１７に記録の待機を指示し、ドライブブロック１７は、この指示により光ディスク１８がバージンディスクの場合、パディングの処理を実行し、ＵＤＦ、ＶＭＧの領域を確保する。また動画ファイルモードにおいては、パディングの処理により、続くタイトルのＶＴＳＩ、ＶＴＳＭ  ＶＯＢＳの領域を確保する（図３（Ａ））。またこれらの処理により、メモリに保持したＲＭＡのデータを更新し、ＮＷＡにより指示される位置が、パディングの終了地点に続く位置となるようにする。
【００４２】
またユーザーにより録画開始のトリガスイッチが操作されると、システムブロック１６は、ドライブブロック１７に記録の開始を指示してビデオデータ及びオーディオデータによる多重化データを出力し、ドライブブロック１７は、この記録の指示により、このＮＷＡの値を基準にして、システムブロック１６の出力データを記録する。動画ファイルモードにおいては、これにより順次入力される多重化データを光ディスク１８に記録して動画ファイルを記録する。またユーザーによるトリガスイッチの操作により、録画の停止が指示されると、システムブロック１６は、ドライブブロック１７に記録の終了を指示して多重化データの送出を停止し、ドライブブロック１７においては、この指示により光ディスク１８への実データの記録を終了する。
【００４３】
これにより動画ファイルモードにおいては、ＶＴＳＴＴ  ＶＯＢＳが記録され、ドライブブロック１７においては、このＶＴＳＴＴ  ＶＯＢＳの記録開始位置のアドレス情報、ファイルサイズ、記録日時等により管理用情報を生成し、この管理用情報をＶＴＳＴＴ  ＶＯＢＳに続く領域に記録してＶＴＳＩ  ＢＵＰを形成する。さらに続くタイトルの記録のために、パディングによりＶＴＳＩ、ＶＴＳＭ  ＶＯＢＳの領域を確保する（図３（Ｂ））。またこれらの処理に対応してＮＷＡの値を更新する。
【００４４】
またＶＴＳＴＴ  ＶＯＢＳの記録開始位置より所定領域分だけ戻った位置より、順次管理用情報を記録し、これによりＶＴＳＩ、ＶＴＳＭ  ＶＯＢＳを形成し、これにより１つのタイトルの記録を完了する（図３（Ｃ））。これらの処理において、ドライブブロック１７は、このタイトルの管理用情報をメモリに記録して保持する。
【００４５】
これにより続いて動画を記録する場合、システムブロック１６は、同様に各部の動作を制御し、ドライブブロック１７においては、このコマンドにより同様の処理を繰り返し、これらにより動画ファイルの記録においては、従来と同様のＲＯＷ方式により順次ファイルを記録するようになされている。
【００４６】
これに対して静止画の記録がユーザーにより指示された場合、システムブロック１６は、拡張ファイルモードへの動作モードの切り換えをドライブブロック１７に指示し、ドライブブロック１７においては、この指示により、パディングにより確保した領域の先頭位置に実データの記録開始位置を設定する。またシステムブロック１６は、ユーザーによるトリガスイッチの操作により、録画の開始が指示されると、ドライブブロック１７に記録の開始を指示し、カメラ部１２より静止画のビデオデータを取得し、このビデオデータによる多重化データをドライブブロック１７に出力する。
【００４７】
ドライブブロック１７は、これによりパディングにより確保した領域の先頭位置から順次静止画による多重化データを記録して静止画ファイルを記録し、記録を完了すると、システムブロック１６に処理の完了を通知する。この通知によりシステムブロック１６は、続いてユーザーによりトリガスイッチが操作されると、同様にしてドライブブロック１７に記録の開始を指示し、静止画のビデオデータによる多重化データをドライブブロック１７に出力する。またドライブブロック１７は、これにより静止画ファイルを続く領域に記録する。これによりこの記録再生装置１１では、ユーザーの所望する枚数分だけ静止画ファイルをまとめて記録する。
【００４８】
このようにして静止画ファイルを記録して、ユーザーが静止画記録モードの終了を指示すると、システムブロック１６は、ドライブブロック１７に動作モードの切り換えを指示する。ドライブブロック１７は、拡張ファイルモードにおいては、この指示により、光ディスクに記録した連続する静止画ファイルについて、中間管理用情報ＤＫを生成して光ディスク１８に記録する。また続いてパディングの処理を実行し、ＶＴＳＩ、ＶＴＳＭ  ＶＯＢＳの領域を確保する（図３（Ｄ））。またこの中間管理用情報ＤＫをメモリに記録して保持し、これら一連の処理に対応するようにメモリに保持したＮＷＡを更新する。これによりこの記録再生装置１１では、ＮＷＡにより中間管理用情報ＤＫの記録位置を特定可能に、ＮＷＡにより指定される領域の直前に中間管理用情報ＤＫを記録するようになされている。
【００４９】
なおここでこの中間管理用情報ＤＫは、直前に記録された複数の拡張ファイルについて、ＵＤＦを作成するまでの間の一時的な管理用情報であり、これら複数ファイルの管理用情報をまとめたものである。中間管理用情報ＤＫは、それぞれ各ファイルの記録開始位置のアドレス情報、ファイル名、ファイルサイズ、時間情報等により構成され、これによりこの中間管理用情報ＤＫより所望するファイルの記録開始位置、ファイルサイズを検出し、この検出結果よりこのファイルを再生できるようになされている。
【００５０】
これによりシステムブロック１６、ドライブブロック１７は、このようにして静止画ファイルを記録した後、再び動画ファイルを記録する場合、上述したと同様にしてパディングした領域に続いて、実データ、ＶＴＳＩ  ＢＵＰを記録し、パディングにより領域を確保し（図３（Ｅ））、ＶＴＳＩ、ＶＴＳＭ  ＶＯＢＳを記録し（図３（Ｆ））、これによりＶＴＳを記録する（図３（Ｇ））。
【００５１】
図４は、この中間管理用情報ＤＫの説明に供する図表である。中間管理用情報ＤＫは、連続して記録した拡張ファイルの属性毎にまとめて記録される。すなわち図４（Ｂ）に示すように、中間管理用情報は、ヘッダーと、属性毎のファイル管理用情報ＤＪ、ＤＭ７、ＤＭ４とにより構成される。例えば、ユーザーの指示によりＪＰＥＧによる３つのファイルＦＪ１、ＦＪ２、ＦＪ３を記録した後、続いてＭＰＥＧ７による２つのファイルＦＭ７１、ＦＭ７２を記録し、さらに続いてＭＰＥＧ４による２つのファイルＦＭ４１、ＦＭ４２を記録した場合（図４（Ａ））、中間管理用情報ＤＫは、ヘッダーの記録によりこれら３種類のファイルの記録が示され、またこのヘッダーの記録により、続く各ファイル管理用情報ＤＪ、ＤＭ７、ＤＭ４の記録位置が示される。ここで符号ＤＪ、ＤＭ７、ＤＭ４は、それぞれＪＰＥＧ、ＭＰＥＧ７、ＭＰＥＧ４によるファイルの管理用情報を示す。
【００５２】
属性毎のファイル管理用情報ＤＪは、図４（Ｃ）に示すように、各ファイルの管理用情報ＤＦＪ１、ＤＦＪ２、ＤＦＪ３毎に記録され、図４（Ｄ）に示すように、この各ファイルの管理用情報ＤＦＪ１に、対応する拡張ファイルの属性情報、アドレス情報ＡＤＤＲ、サイズの情報、時間情報等が割り当てられるようになされている。
【００５３】
なおこの実施の形態において、記録再生装置１１は、この拡張ファイルとしてＪＰＥＧによる静止画ファイルが適用されることにより、この記録再生装置１１により記録された光ディスク１８においては、このような属性毎のファイル管理用情報については、図４（Ｂ）に示すファイル管理用情報ＤＪのみが作成されることになる。
【００５４】
これにより記録再生装置１１では、光ディスク１８に動画以外のファイルを記録する場合でも、ファイルと対応する管理用情報とを組にしてプログラムエリアに記録する。またこのとき、光ディスク１８に記録するファイルが動画のファイルの場合、管理用情報、ファイル、管理用情報のバックアップ用情報を順次記録するのに対し、動画以外のファイルである静止画のファイルを光ディスク１８に記録する場合、ファイル、管理用情報を順次記録し、これによりファイルの属性に応じて、管理用情報の記録フォーマットを切り換えるようになされている。
【００５５】
さらにこのように複数の拡張ファイルを１つの中間管理用情報ＤＫによりまとめて管理することにより、これらを１つのディレクトリーにより管理して、ユーザーの使い勝手を向上できるようになされている。
【００５６】
これに対してユーザーによりファイナライズが指示されると、システムブロック１６においては、ドライブブロック１７にファイナライズを指示し、ドライブブロック１７においては、光ディスク１８に記録した全てのファイルについて、メモリに保持した管理用情報よりＵＤＦのデータを生成する。また光ディスク１８に記録した動画ファイルについてのみ、メモリに保持した管理用情報よりＶＭＧのデータを生成する。さらに始めに確保された領域にシークし、これらＵＤＦ、ＶＭＧのデータを記録してＵＤＦ、ＶＭＧを生成する。またリードイン、リードアウトを生成し、これによりファイナライズの処理を完了する（図３（Ｈ））。
【００５７】
これに対してファイナライズしない状態で、ユーザーにより光ディスクの排出が指示されると、システムブロック１６は、ドライブブロック１７に光ディスク１８の排出を指示し、ドライブブロック１７は、上述した一連の処理により順次更新されてなるＮＷＡにより光ディスク１８のＲＭＡを更新した後、光ディスク１８を排出する。
【００５８】
ドライブブロック１７は、これら一連の処理において、当初、光ディスク１８より取得した管理用情報を光ディスク１８へのファイルの記録に応じて更新し、さらにこの更新した情報をシステムブロック１６に通知する。これによりシステムブロック１６においては、記録直後のファイル等についても、ドライブブロック１７に再生を指示できるようになされ、さらにはファイルの削除を指示できるようになされている。
【００５９】
図５は、図３との対比によりこのようなファイルの削除等に係る処理の説明に供する図表である。バージンディスクに順次動画ファイル、静止画ファイルである拡張ファイルを順次記録すると、この場合、最後に記録した静止画ファイルＥＦの中間管理用情報ＤＫに続く領域が未記録領域の先頭であることにより、ＮＷＡにおいては、ドライブブロック１７で順次更新され、最終的にこの先頭のアドレスを示す値に保持されることになる（図５（Ａ）〜（Ｆ））。
【００６０】
この状態で例えば最後に記録した静止画ファイルＥＦを削除した場合、ドライブブロック１７においては、メモリに保持した管理用情報の更新により、この静止画ファイルＥＦ、続く中間管理用情報ＤＫが記録された領域については、未記録領域に設定し（図５（Ｇ））、続く拡張ファイルの記録においては、この未記録領域に上書きにより拡張ファイル、対応する中間管理用情報を記録することになる（図５（Ｈ）〜（Ｊ））。なおこのような管理用情報の更新による未記録領域の設定に代えて、実際に光ディスクに記録された情報を消去して未記録領域を設定する場合もある。
【００６１】
この実施の形態に係るシステムブロック１６においては、このように最後に記録したファイルを中間管理用情報ごとに削除する場合、削除のコマンドに続いて、ＮＷＡの値により特定される記録位置情報を先頭側に戻すコマンドをドライブブロック１７に出力する。またドライブブロック１７は、このコマンドにより、削除により記録可能となった先頭位置を特定するように、ＮＷＡの値を更新する（図５（Ｇ））。これによりこの記録再生装置１１においては、光ディスク１８に記録されたファイルの削除に対応して、未記録領域の先頭位置を示す位置情報を更新するようになされている。
【００６２】
これによりシステムブロック１６より続いて拡張ファイルの記録が指示されると、ドライブブロック１７は、この指示に係る拡張ファイルを順次記録し、中間管理用情報ＤＫを記録し、これらの記録に対応するようにＮＷＡの値を更新する。これにより記録再生装置１１では、消去、記録を繰り返しても、ＮＷＡの値を先頭領域側に戻さない場合に比して、中間管理用情報ＤＫを同一箇所に記録する頻度を格段的に少なくするようになされ、その分、光ディスク１８の寿命を延ばすことができるようになされている。なおこのようなＮＷＡの更新においては、メモリ上にて実行され、光ディスク１８の排出時、又は電源遮断時、ドライブブロック１７は、このメモリにおけるＮＷＡの更新を光ディスク１８に記録するようになされている。
【００６３】
これに対して１つの中間管理用情報ＤＫにより管理される複数の拡張ファイルのうち、一部のファイルを削除する場合、システムブロック１６は、ドライブブロック１７に対応する拡張ファイルの削除を指示する。この指示によりドライブブロック１７は、対応するファイルの削除に対応するように中間管理用情報ＤＫを更新し、光ディスク１８に追記する。またこれに対応するように、メモリに保持したＮＷＡを更新する。
【００６４】
この削除の処理において、中間管理用情報ＤＫの直前に記録されたファイルの削除がシステムブロック１６より指示された場合、ドライブブロック１７においては、中間管理用情報ＤＫの追記に代えて、このファイルの削除に発生する未記録領域の先頭より、中間管理用情報を記録し、これにより光ディスク１８に記録された拡張ファイルを実際に削除すると共に、中間管理用情報の記録位置を先頭側に移動させ、情報記録面の有効利用を図る。またこれに対応してＮＷＡの値を先頭側に戻す。
【００６５】
かくするにつき図１は、このＮＷＡの更新に係る記録再生装置１１の消去の処理の説明に供するフローチャートである。記録再生装置１１においては、ユーザーにより拡張ファイルの消去が指示されると、ステップＳＰ１からステップＳＰ２に移り、システムブロック１６からドライブブロック１７に対応するファイルの削除を指示し、ドライブブロック１７において、対応するファイルが削除される。また続くステップＳＰ３において、削除に係るファイルの中間管理用情報によりまとめて管理される複数の拡張ファイルについて、削除されないで残っているものが存在するか否か判断する。
【００６６】
ここで否定結果が得られると、ステップＳＰ４に移り、この場合、この削除に係るファイルの中間管理用情報においては、何ら管理対象のファイルが存在しないことにより、システムブロック１６からドライブブロック１７にＮＷＡを戻すコマンドが送出され、これに対応してドライブブロック１７においては、削除した部分の先頭をＮＷＡが指示するように、ＮＷＡの値を更新する。
【００６７】
これにより記録再生装置１１では、削除の処理に対応してＮＷＡを更新した後、ステップＳＰ５に移ってこの処理手順を終了する。
【００６８】
これに対してステップＳＰ３で肯定結果が得られると、ステップＳＰ６に移り、この削除の処理に対応するように中間管理用情報を更新し、この中間管理用情報を追記する。このとき削除に係るファイルが末尾のファイルの場合、拡張ファイルに続いて中間管理用情報を記録する。また続いてステップＳＰ７に移り、これらの処理に対応するように、ＮＷＡを更新し、ステップＳＰ５に移ってこの処理手順を終了する。
【００６９】
（２）実施の形態の動作
以上の構成において、この記録再生装置１１では（図２）、電源が立ち上げられた状態でユーザーにより光ディスク１８が装填されると、また光ディスク１８が装填された状態で電源が立ち上げられると、ドライブブロック１７において、光ディスク１８に記録された各種管理用情報が取得されて保持され、またこの管理用情報の一部がシステムブロック１６に通知される。
【００７０】
この光ディスク１８がスタンパにより作成された再生専用の光ディスクの場合、さらには光ディスク１８が動画のファイルのみを記録したファイナライズ処理されてなる光ディスクの場合、この一連の処理により、ドライブブロック１７には、光ディスク１８の内周側に記録されたＤＶＤプレイヤー用の管理用情報であるＶＭＧのデータが取得され、システムブロック１６には、この管理用情報より光ディスク１８に記録されたファイルが通知される。これにより記録再生装置１１では、ユーザーにより光ディスク１８の再生が指示されると、システムブロック１６からドライブブロック１７に対応するファイルの再生が指示され、ドライブブロック１７において、このＶＭＧのデータに従って光ディスク１８に記録されたデータが再生され、この再生データがシステムブロック１６、ビデオデコーダ２１、オーディオデコーダ２２、表示部１９、音声処理部２０を介してユーザーに提供される。
【００７１】
これに対して光ディスク１８が記録可能なバージンディスクの場合、光ディスク１８の装填時、電源の立ち上げ時における光ディスク１８のアクセスにより、光ディスク１８のＲＭＡのデータがドライブブロック１７で取得され、またシステムブロック１６には光ディスク１８に何らファイルが記録されていない旨通知される。記録再生装置１１では、ユーザーにより動画の撮影モードが選択されると、システムブロック１６によりドライブブロック１７の動作モードが動画ファイルモードに切り換えられる。これによりドライブブロック１７においては、パディングの処理により、ＵＤＦ、ＶＭＧを形成する領域、最初のＶＴＳのＶＴＳＩ、ＶＴＳＭ  ＶＯＢＳを生成する領域が確保される。
【００７２】
この状態でユーザーにより録画の開始が指示されると、ビデオエンコーダ１３において、カメラ部１２より得られる動画のビデオデータがＭＰＥＧ２によりデータ圧縮され、マイク部１４より出力されるオーディオデータがオーディオエンコーダ１５でデータ圧縮される。さらにこれらデータ圧縮されたビデオデータ及びオーディオデータがシステムブロック１６により多重化処理される。記録再生装置１１では、システムブロック１６からドライブブロック１７に記録のコマンドが出力された後、このようにして生成される多重化データが順次ドライブブロック１７に出力される。またドライブブロック１７においては、この多重化データがパディングにより確保された領域に続いて、順次光ディスク１８に記録され、ユーザーによる記録の停止指示により記録が停止される。
【００７３】
これにより記録再生装置１１では、１つのタイトルを構成するＶＴＳＴＴ  ＶＯＢＳが光ディスク１８に記録され、このＶＴＳＴＴ  ＶＯＢＳの記録開始位置、ファイルサイズ等によりドライブブロック１７において、管理用情報が生成され、この管理用情報が続いて光ディスク１８に記録されてＶＴＳＩ  ＢＵＰの領域が形成される。また続いてパディングにより、続くＶＴＳのＶＴＳＩ、ＶＴＳＭ  ＶＯＢＳを生成する領域が確保され、先に確保したＶＴＳＩ、ＶＴＳＭ  ＶＯＢＳを生成する領域に戻って、管理用情報を記録することにより、ＶＴＳＩ、ＶＴＳＭ  ＶＯＢＳの領域が形成される。
【００７４】
記録再生装置１１では、これにより動画によるビデオデータが１タイトル記録される。これらにより記録再生装置１１では、動画によるファイルを記録する場合、ＶＴＳＩによる管理用情報、ＶＴＳＭ  ＶＯＢＳによる管理用情報、ファイル、ＶＴＳＩ  ＢＵＰによる管理用情報が連続するフォーマットであるＤＶＤビデオフォーマットにより管理用情報、ファイルが記録される。またこの管理用情報がドライブブロック１７のメモリに保持される。
【００７５】
記録再生装置１１では、続いてユーザーにより動画の記録が指示された場合、同様の処理の繰り返しにより順次光ディスク１８にタイトルが記録される。またこのようにしてタイトルを順次記録して、未だファイナライズしていない光ディスクが装填された場合等にあっては、当初、ＲＭＡのデータと共に、このＲＭＡのデータであるＮＷＡを基準にした光ディスク１８のスキャンにより、このようにタイトルと組にして記録された管理用情報が順次取得されてドライブブロック１７のメモリに保持され、この光ディスクのスキャンにより検出されるタイトルの末尾より続くタイトルが記録される。
【００７６】
記録再生装置１１では、このようにして光ディスク１８をスキャンして取得した管理用情報、光ディスク１８へのタイトルの記録時にメモリに保持した管理用情報の一部が、ファイナライズされてなる光ディスクの場合と同様に、システムブロック１６に通知され、これにより記録直後のファイル、他の光ディスク装置で記録したファイルについても、システムブロック１６で対象のファイルを検出してドライブブロック１７で再生することが可能となる。また光ディスク１８のスキャン時に検出したＮＷＡにより、またこのような光ディスク１８への動画ファイルの記録に対応して、メモリに保持したＮＷＡを更新することにより、ドライブブロック１７において、続く未記録領域に動画ファイルを記録することが可能となる。
【００７７】
このため記録再生装置１１では、ユーザーにより光ディスク１８の排出が指示されると、さらには電源の立ち下げが指示されると、メモリに保持して逐次更新してなるＲＭＡのデータにより光ディスク１８のＲＭＡが更新される。
【００７８】
記録再生装置１１では、このようにしてタイトルを記録して、ユーザーによりファイナライズの処理が指示されると、メモリに記録してなるタイトルと組を形成する管理用情報によるＵＤＦ、ＶＭＧのデータが生成され、これらが光ディスク１８に確保された内周側領域に記録され、またリードイン、リードアウトが形成される。これによりこの光ディスクにあっては、通常のＤＶＤフォーマットのみに対応する光ディスク装置で再生可能に設定される。
【００７９】
これに対してユーザーにより静止画の撮影モードが選択された場合、システムブロック１６によりドライブブロック１７の動作モードが拡張ファイルモードに切り換えられる。これによりバージンディスクにおいては、パディングによりＵＤＦ、ＶＭＧの領域が確保される。またカメラ部１２及びビデオエンコーダ１３では、静止画によるビデオデータを取得してＪＰＥＧによりデータ圧縮するように動作モードが切り換えられる。
【００８０】
この状態でユーザーにより静止画の録画開始が指示されると、このようにＪＰＥＧによりデータ圧縮されてなる静止画による多重化データがドライブブロック１７に順次出力されて光ディスク１８に記録される。
【００８１】
記録再生装置１１は、動画の記録においては、始めにＶＴＳＩ、ＶＴＳＭ  ＶＯＢＳの領域を確保して実データを記録するのに対し、この静止画の記録においては、このような領域を確保することなく静止画による実データを記録する。またユーザーにより続く静止画の記録が指示されると、同様にして、続く静止画が光ディスク１８に記録される。またこれらの記録の毎に、各ファイルの記録位置等がメモリに記録される。
【００８２】
記録再生装置１１では、このようにして所望するファイル数だけ静止画によるファイルを光ディスクに記録してユーザーによる動作モードの切り換え等により拡張ファイルモードの終了がシステムブロック１６よりドライブブロック１７に通知され、この通知により、メモリに保持した記録位置等による管理用情報がこれら複数ファイル分、続く領域に、ファイナライズまでの一時的な中間管理用情報として記録される。これにより記録再生装置１１では、動画以外のファイルを記録する場合には、ファイル、対応する管理用情報の順となるように、ファイル及び管理用情報が記録され、記録するファイルの属性によりファイル及び管理用情報の記録フォーマットが切り換えられる。
【００８３】
これにより記録再生装置１１では、ＤＶＤビデオフォーマットで定義されていない静止画等のファイルについても光ディスク１８に記録することができるようになされている。またこのようにして記録した光ディスク１８を通常のＤＶＤビデオフォーマットのみをサポートするＤＶＤレコーダに装填した場合、装填時等のサーチによりＶＴＳＩ等のＤＶＤビデオフォーマットに従って管理用情報が検出され、この管理用情報によりＶＴＳが再生されることにより、このようにして記録した静止画等のファイル、対応する管理用情報については、何ら動画の再生に影響を与えないようにすることができる。これによりこのようにして記録した光ディスクにおいては、通常のＤＶＤレコーダにより動画のファイルを再生することが可能となる。
【００８４】
これに対してこの記録再生装置１１のような動画以外のファイルをもサポートする光ディスク装置によれば、静止画のファイルについても再生することが可能となる。すなわちこのような光ディスク１８が装填された場合、記録再生装置１１では、当初の光ディスク１８のサーチにより、ＶＴＳ、ＶＴＳＭ  ＶＯＢＳのデータだけでなく、静止画ファイルの管理用情報についても光ディスク１８より再生され、ドライブブロック１７のメモリに保持され、また管理用情報の一部の情報であるファイルの情報がシステムブロック１６に通知される。
【００８５】
これにより例えばユーザーの指示により光ディスク１８に記録された動画及び静止画のタイトル等をユーザーに提供することができる。またユーザーにより再生の指示により、ユーザーが動画の再生を指示した場合、ＶＴＳ、ＶＴＳＭ  ＶＯＢＳのデータにより再生専用の光ディスクについて上述したと同様にして対応する動画ファイルが再生される。
【００８６】
これに対してユーザーにより静止画ファイルの再生が指示された場合、メモリに保持した中間管理用情報より対応するファイルの記録位置等が検出され、この検出結果により順次光ディスク１８に記録されたデータが再生されて、静止画による再生データが生成される。記録再生装置１１では、この再生データの処理において、静止画による再生データを処理する場合には、ＪＰＥＧによりデータ圧縮したビデオデータをデータ伸長するように、ビデオデコーダ２１の処理が切り換えられ、これにより静止画によるビデオデータを表示部１９により確認し、さらには外部機器に出力することが可能となる。
【００８７】
このような静止画等によるファイルにあっては、一般に、動画によるファイルに比してファイルサイズが小さいのに対し、記録再生装置１１では、このような管理用情報である中間管理用情報ＤＫが複数ファイル分まとめて作成されて記録される（図４）。これにより記録再生装置１１では、このような静止画ファイル等による拡張ファイルを記録するにつき、管理用ファイルの記録による記録領域の減少を低減することができる。
【００８８】
またこのように複数ファイル分まとめて記録する場合に、ファイルの属性であるファイルの種類毎にまとめて記録するようになされ、これによりサーチ処理、後述するファイナライズにおける処理等を簡略化することができるようになされている。
【００８９】
記録再生装置１１では、これらによりいわゆるバージンディスク、動画のみ記録して未だファイナライズされていない光ディスク、動画及び静止画のファイルを記録して未だファイナライズされていない光ディスクに対して、動画及び静止画のファイルがユーザーの操作により順次記録される。
【００９０】
これに対してこのようにして動画及び静止画を記録してなる光ディスクについて、ユーザーによりファイナライズが指示されると、光ディスクより取得してメモリに保持した管理用情報、中間管理用情報、動画及び静止画の記録により作成してメモリに保持した管理用情報、中間管理用情報により、コンピュータ用のＵＤＦのデータが作成され、このデータが光ディスク１８に事前に確保された領域に記録される。また動画ファイルの管理用情報だけからＤＶＤプレイヤー用のＶＭＧデータが生成され、同様にして光ディスク１８に記録される。
【００９１】
これにより記録再生装置１１では、光ディスク１８の管理用情報記録領域のうちの、コンピュータ用のＵＤＦ領域に、光ディスク１８に記録された全てのファイルについて、組による管理用情報がまとめて記録されるのに対し、ＤＶＤ用のＶＭＧ領域に、光ディスクに記録された特定属性のファイルである動画ファイルについてのみ、組による管理用情報がまとめて記録される。
【００９２】
これによりこのようにファイナライズされた光ディスクをＤＶＤプレイヤーより再生する場合、ＤＶＤ用であるＶＭＧ領域を基準にして光ディスク１８に記録されたファイルが再生されることにより、静止画等のファイルの記録については、動画の再生に何ら影響を与えることなく、確実にＤＶＤビデオフォーマットによる動画を再生することができる。
【００９３】
またこのようにファイナライズされた光ディスクをコンピュータにより再生する場合には、ＵＤＦがコンピュータのファイル管理システムに対応するファイル管理フォーマットであり、コンピュータにおいては、ＵＤＦにより各ファイルを再生することにより（図５）、動画のファイルはもとより、静止画等のファイルについても再生して利用することが可能となる。
【００９４】
ところでこのようにしてファイナライズ前の状態において、このように拡張ファイルを記録してなる光ディスク１８が他のＤＶＤレコーダに装填された場合、このＤＶＤレコーダにおいて中間管理用情報を検出するには、結局ＮＷＡにより指示される箇所を基準にすることになる。
【００９５】
これによりＮＷＡをアドレスが増大する方向にしか更新できないとすると、当初記録したファイルを削除した場合に、当初のファイルよりファイルサイズの大きなファイルを記録した場合に限り、ＮＷＡを更新することができ、これにより繰り返しのファイルの更新等において、同一箇所に中間管理用情報を繰り返し記録してしまうことになる。
【００９６】
図６は、この様子を示す図表であり、バージンディスクにパディングにより領域を確保してＶＴＳを記録した後（図６（Ａ）〜（Ｄ））、拡張ファイルＥＦを記録し（図６（Ｅ））、その中間管理用情報ＤＫを記録した場合である（図６（Ｆ））。ここで中間管理用情報ＤＫを記録した時点で、ＮＷＡは、矢印により示すように、中間管理用情報ＤＫに続く領域を示すことになり、拡張ファイルＥＦを削除した場合でも（図６（Ｈ））、さらには当初のファイルに比してファイルサイズの短いファイルについて記録削除を繰り返した場合でも（図６（Ｈ）〜（Ｊ））、何ら値が更新されないで保持される。これによりこのＮＷＡを基準にした中間管理用情報ＤＫにおいても、同一箇所に繰り返し記録されることになる。なおこの図６の例では、中間管理用情報ＤＫを、ＮＷＡにより特定される箇所の直前に記録する場合である。
【００９７】
これに対してこの実施の形態においては、最後尾に記録した１つの中間管理ファイルによる管理される複数ファイルをまとめて削除する場合、それまでＮＷＡにより指定されていた未記録領域の先頭箇所より、記録開始側に遡って記録可能領域が連続するようになることにより、システムブロック１６からファイルを削除した先頭箇所までＮＷＡを戻すコマンドが送出され、このコマンドに対応してドライブブロック１７でＮＷＡが更新される。
【００９８】
これにより図６との対比により図５に示すように、ＮＷＡにより特定される中間管理用情報ＤＫの記録位置においては、ファイル、中間管理用情報ＤＫを削除する毎に、拡張ファイルのファイルサイズに応じて種々に変化し、同一箇所への中間管理用情報ＤＫの繰り返しの記録を防止することができる。これにより光ディスク１８においては、その分、寿命を延ばすことができる。
【００９９】
これに対してこのように１つの中間管理ファイルによるまとめて管理される拡張ファイルの１つが削除される場合、記録再生装置１１においては、ドライブブロック１７によりこの削除に対応するように中間管理ファイルが追記される。この処理において、このようにまとめて管理される拡張ファイルのうち、最後尾のファイルが削除される場合には、このような追記の処理に代えて、削除したファイルの先頭領域より中間管理用情報ＤＫが記録され、またこれに対応するようにドライブブロック１７側でＮＷＡが更新される。これにより光ディスク１８においては、追記の繰り返しによる記録領域の消費を少なくするようになされ、その分、情報記録面を有効に利用できるようになされている。
【０１００】
（３）実施の形態の効果
以上の構成によれば、光ディスクに記録されたファイルの削除に対応して、未記録領域の先頭アドレスを示す位置情報であるＮＷＡを更新することにより、例えば動画以外のファイルを記録して、このファイルを更新する場合等に、光ディスクの寿命を延ばすことができる。
【０１０１】
このときこのような更新の処理をメモリに保持した位置情報により実行し、光ディスクの排出時、又は電源遮断時、このメモリに保持した位置情報により光ディスクの位置情報を更新することにより、位置情報の更新頻度を少なくして、その分光ディスクの寿命を延ばすことができる。
【０１０２】
またこの位置情報が、ＤＶＤビデオフォーマットによるＮＷＡであることにより、ＤＶＤビデオフォーマットによる動画の記録に加えて、静止画等のファイルを記録することができる。
【０１０３】
すなわちファイルとファイルの管理用情報とを組にして、ファイルが動画のファイルの場合、ファイルの管理用情報、ファイル、管理用情報のバックアップ用情報が順次連続するように、ファイル及び管理用情報を記録し、ファイルが動画以外のファイルの場合、ファイル、対応する管理用情報の順となるように、かつ管理用情報の記録位置を位置情報により特定可能に、ファイル及び管理用情報を記録することにより、ＤＶＤビデオフォーマットによる動画の記録に加えて、静止画等のファイルを記録することができる。
【０１０４】
（４）他の実施の形態
なお上述の実施の形態においては、ＮＷＡの直前に中間管理用情報を記録する場合について述べたが、本発明はこれに限らず、ＮＷＡに対して一定の関係を有するように中間管理用情報を記録する場合に広く適用することができる。
【０１０５】
また上述の実施の形態においては、ファイルと共に記録する管理用情報としてファイナライズまでの一時的な管理用情報である中間管理用情報を適用する場合について述べたが、本発明はこれに限らず、ファイナライズ以降においても、利用可能な管理用情報等の記録にも広く適用することができる。
【０１０６】
また上述の実施の形態においては、直前に連続して記録された複数の拡張ファイルについて、管理用情報をまとめて光ディスクに記録する場合について述べたが、本発明はこれに限らず、それまで光ディスクに記録された全ての拡張ファイルについて、まとめて管理用情報を光ディスクに記録する場合、さらには各ファイル毎に管理用ファイルを記録する場合等に広く適用することができる。
【０１０７】
また上述の実施の形態においては、拡張ファイルとして静止画のファイルを記録する場合について述べたが、本発明はこれに限らず、例えばＶＴＳとは異なるフォーマットによる動画ファイル、テキストファイル、地図データのファイル等、拡張ファイルにあっては、種々のファイルを広く適用することができる。
【０１０８】
なお上述の実施の形態においては、システムブロック、ドライブブロックに事前にインストールされた処理プログラムにより一連の処理を実行する場合について述べたが、本発明はこれに限らず、インターネット等のネットワークを介してダウンロードしたプログラムのコンピュータ等へのインストールによりこの種の処理手順を実行する場合、さらには各種の記録媒体により提供されるプログラムのインストールによりこの種の処理手順を実行する場合等にも広く適用することができる。なおこのような記録媒体としては、磁気ディスク、光ディスク、磁気テープ等の記録媒体を適用することができる。
【０１０９】
また上述の実施の形態においては、撮像機能を有する記録再生装置に本発明を適用する場合について述べたが、本発明はこれに限らず、コンピュータのアプリケーションプログラムによりこの種の処理を実行する場合等にも広く適用することができる。
【０１１０】
【発明の効果】
上述のように本発明によれば、光ディスクに記録されたファイルの削除に対応して、未記録領域の先頭アドレスを示す位置情報を更新することにより、例えば動画以外のファイルを記録して、このファイルを更新する場合等に、光ディスクの寿命を延ばすことができる。
【図面の簡単な説明】
【図１】本発明の実施の形態に係る光ディスク装置における処理手順を示すフローチャートである。
【図２】本発明の実施の形態に係る記録再生装置を示すブロック図である。
【図３】図２の記録再生装置における拡張ファイルの記録の説明に供する図表である。
【図４】中間管理用情報の説明に供する図表である。
【図５】拡張ファイルの更新処理の説明に供する図表である。
【図６】ＮＷＡを更新しないとした場合の、拡張ファイルの更新処理の説明に供する図表である。
【図７】ＤＶＤビデオフォーマットの説明に供する図表である。
【図８】ＲＯＷ方式による記録の説明に供する図表である。
【符号の説明】
１１……記録再生装置、１６……システムブロック、１７……ドライブブロック、１８……光ディスク
【図１】
0004016321.tif 000002
【図２】
0004016321.tif 000003
【図３】
0004016321.tif 000004
【図４】
0004016321.tif 000005
【図５】
0004016321.tif 000006
【図６】
0004016321.tif 000007
【図７】
0004016321.tif 000008
【図８】
0004016321.tif 000009